(57)【要約】      （修正有）【課題】熱交換器や制御弁の故障、冷水源の損失などによって機能が停止しないようにした複数個の冷却剤温度調節ユニット（ＣＣＵ）を用いた冷却システムを提供する。【解決手段】複数個の冷却剤温度調節ユニット（ＣＣＵ）の各ＣＣＵ３１０は冷却すべき複数個の電子ラックのうちの異なるとともに付随する１つの電子ラック３３０に接続されているとともに、熱交換器と、制御弁を備えた第１冷却ループと、第２冷却ループ３１５、３１６とを備えている。第１冷却ループは被冷却施設冷却剤を源から受け取り、その少なくとも一部分をして制御弁を介して熱交換器中を通過させる。第２冷却ループ３１５、３１６は被冷却システム冷却剤を付随する電子ラック３３０に供給し、熱交換器において、前記電子ラック３３０から第１冷却ループ中の被冷却施設冷却剤に熱を放散する。【選択図】 図３
2005167248.tif 000002
【特許請求の範囲】
【請求項１】
複数個の冷却剤温度調節ユニット（ＣＣＵ）であって、前記複数個のＣＣＵのうちの少なくとも数個の冷却剤温度調節ユニット（ＣＣＵ）の各ＣＣＵは冷却すべき複数個の電子サブシステムのうちの異なるとともに付随する１つの電子サブシステムにシステム冷却剤を供給する、複数個の冷却剤温度調節ユニット（ＣＣＵ）を備え、
前記少なくとも数個のＣＣＵの各ＣＣＵは熱交換器と、制御弁を備えた第１冷却ループと、第２冷却ループとを備え、
前記第１冷却ループは被冷却施設冷却剤を源から受け取り、その少なくとも一部分をして前記制御弁を介して前記熱交換器を通過させ、
前記第２冷却ループは被冷却システム冷却剤を前記付随する電子サブシステムに供給し、前記熱交換器において、前記付随する電子サブシステムから前記第１冷却ループ中の前記被冷却施設冷却剤に熱を放散し、
前記制御弁によって前記熱交換器中を流れる施設冷却剤の流れを規制することを可能にし、それにより、前記付随する電子サブシステムを冷却する前記第２冷却ループ中のシステム冷却剤の温度を所望の値に独立して制御することを可能にしている、
冷却システム。
【請求項２】
被冷却施設冷却剤の前記源は前記少なくとも数個のＣＣＵに供給される被冷却施設冷却剤の共通の源を含む、
請求項１に記載の冷却システム。
【請求項３】
被冷却施設冷却剤の前記共通の源は少なくとも２つの源導入管路および少なくとも２つの源帰路管路を備え、各導入管路および各帰路管路は前記複数個のＣＣＵのうちの少なくとも２つのＣＣＵの面倒を見ている、
請求項２に記載の冷却システム。
【請求項４】
前記複数個のＣＣＵは複数個の専用ＣＣＵを含み、各専用ＣＣＵは冷却すべき異なる電子サブシステムに関連付けられている、
請求項１に記載の冷却システム。
【請求項５】
前記複数個の電子サブシステムは複数個の電子ラックを含み、各電子ラックは前記複数個のＣＣＵのうちの付随する専用ＣＣＵによって冷却されている、
請求項４に記載の冷却システム。
【請求項６】
前記複数個のＣＣＵは複数個のＣＣＵ対を含み、各ＣＣＵ対は前記複数個の電子サブシステムのうちの異なるとともに付随する１つの電子サブシステムを冷却する専用ＣＣＵおよび予備の専用ＣＣＵを含んでいる、
請求項１に記載の冷却システム。
【請求項７】
さらに、
前記複数個のＣＣＵ対の動作をモニタし、１つの専用ＣＣＵにおける故障を検出したら、故障したＣＣＵ対の予備の専用ＣＣＵに自動的に切り替えて、付随する電子サブシステムの冷却が継続することを保証するコントローラを備えた、
請求項６に記載の冷却システム。
【請求項８】
さらに、
前記複数個のＣＣＵ対の各ＣＣＵ対の専用ＣＣＵおよび予備の専用ＣＣＵに接続されているとともに、被冷却施設冷却剤の流れをしてＣＣＵ対の一方のＣＣＵ中を流れるように選択的に指向させる遮断弁を備えた、
請求項７に記載の冷却システム。
【請求項９】
さらに、
予備の施設冷却剤供給管路および予備の施設冷却剤帰路管路を備え、
前記管路のうちの任意の１つにおいて故障を検出したら、被冷却施設冷却剤を１つの供給管路から別の供給管路へ、または１つの帰路管路から別の帰路管路へ自動的に切り替える、
請求項７に記載の冷却システム。
【請求項１０】
さらに、
前記ＣＣＵ対の動作をモニタするコントローラおよび予備のコントローラであって、前記予備のコントローラは前記コントローラにおいて故障が検出されたときに前記コントローラに代わって機能する、コントローラおよび予備のコントローラを備えた、
請求項６に記載の冷却システム。
【請求項１１】
前記少なくとも数個のＣＣＵの各ＣＣＵがさらに前記第２冷却ループと直列に貯蔵槽を備え、前記第２冷却ループ中を流れるシステム冷却剤が十分に供給されることを保証している、
請求項１に記載の冷却システム。
【請求項１２】
さらに、
前記少なくとも数個のＣＣＵの少なくとも２つのＣＣＵが共用する外部システム冷却剤貯蔵槽を備え、前記少なくとも２つのＣＣＵの各ＣＣＵの第２冷却ループ中を流れるシステム冷却剤が十分に供給されることを保証している、
請求項１に記載の冷却システム。
【請求項１３】
前記外部システム冷却剤貯蔵槽は必要に応じて前記少なくとも数個のＣＣＵの各ＣＣＵの第２冷却ループにシステム冷却剤を供給する、
請求項１２に記載の冷却システム。
【請求項１４】
前記外部システム冷却剤貯蔵槽と前記少なくとも数個のＣＣＵの各ＣＣＵの第２冷却ループとは異なる供給管路によって接続されており、
供給管路の１つまたは第２冷却ループの１つにおいて液体輸送経路が故障しても、その影響は供給管路または第２冷却ループが故障しているＣＣＵにしか及ばない、
請求項１３に記載の冷却システム。
【請求項１５】
前記外部システム冷却剤貯蔵槽から伸びる共通供給管路が前記少なくとも２つのＣＣＵに追加のシステム冷却剤を供給してその第２冷却ループに行き渡らせており、
前記少なくとも２つのＣＣＵの各第２冷却ループは上方に伸びる分岐管路を介して前記共通供給管路に接続されており、前記上方に伸びる分岐管路は前記共通供給管路からシステム冷却剤が除去されてもシステム冷却剤を保持し続ける、
請求項１３に記載の冷却システム。
【請求項１６】
複数個の電子サブシステムと、
複数個の冷却剤温度調節ユニット（ＣＣＵ）であって、前記複数個のＣＣＵの各ＣＣＵは前記複数個の電子サブシステムの異なるとともに付随する１つの電子サブシステムにシステム冷却剤を供給している、複数個の冷却剤温度調節ユニット（ＣＣＵ）とを備え、
前記複数個のＣＣＵの各ＣＣＵは熱交換器と、制御弁を備えた第１冷却ループと、第２冷却ループとを備え、
前記第１冷却ループは被冷却施設冷却剤を源から受け取り、その少なくとも一部分をして前記制御弁を介して前記熱交換器を通過させ、
前記第２冷却ループは被冷却システム冷却剤を前記付随する電子サブシステムに供給し、前記熱交換器において、前記付随する電子サブシステムから前記第１冷却ループ中の前記被冷却施設冷却剤に熱を放散し、
前記制御弁によって前記熱交換器中を流れる施設冷却剤の流れを規制することを可能にし、それにより、付随する電子サブシステムを冷却する前記第２冷却ループ中のシステム冷却剤の温度を独立して制御することを可能にしている、被冷却電子システム。
【請求項１７】
前記複数個の電子サブシステムは複数個の電子ラックを含む、
請求項１６に記載の被冷却電子システム。
【請求項１８】
被冷却施設冷却剤の前記源は被冷却施設冷却剤の共通の源を含み、
前記源と前記複数個のＣＣＵとの間に少なくとも２つの源入力管路および少なくとも２つの源帰路管路が設けられており、各源入力管路および各源帰路管路は前記複数個のＣＣＵのうちの少なくとも２つのＣＣＵの面倒を見ている、
請求項１６に記載の被冷却電子システム。
【請求項１９】
前記複数個のＣＣＵは複数個のＣＣＵ対を含み、各ＣＣＵ対は前記複数個の電子サブシステムのうちの異なるとともに付随する１つの電子サブシステムを冷却する専用ＣＣＵおよび予備の専用ＣＣＵを含んでいる、
請求項１６に記載の被冷却電子システム。
【請求項２０】
さらに、
前記ＣＣＵ対の動作をモニタし、１つの専用ＣＣＵにおける故障を検出したら、故障したＣＣＵ対の予備の専用ＣＣＵに自動的に切り替えて、付随する電子サブシステムの冷却が継続することを保証するコントローラを備えた、
請求項１９に記載の被冷却電子システム。
【請求項２１】
さらに、
前記複数個のＣＣＵ対の各ＣＣＵ対の専用ＣＣＵおよび予備の専用ＣＣＵに接続されているとともに、被冷却施設冷却剤の流れをしてＣＣＵ対の一方のＣＣＵ中を流れるように選択的に指向させる遮断弁を備えた、
請求項１９に記載の被冷却電子システム。
【請求項２２】
さらに、
予備の施設冷却剤供給管路および予備の施設冷却剤帰路管路を備え、
前記管路のうちの１つにおいて故障を検出したら、被冷却施設冷却剤を１つの供給管路から別の供給管路へ、または１つの帰路管路から別の帰路管路へ自動的に切り替える、
請求項２０に記載の被冷却電子システム。
【請求項２３】
さらに、
前記ＣＣＵ対の動作をモニタする予備のコントローラであって、前記予備のコントローラはコントローラにおいて故障が検出されたときに前記コントローラに代わって機能する、予備のコントローラを備えた、
請求項１９に記載の被冷却電子システム。
【請求項２４】
前記少なくとも数個のＣＣＵの各ＣＣＵがさらに前記第２冷却ループと直列に貯蔵槽を備え、前記第２冷却ループ中を流れるシステム冷却剤が十分に供給されることを保証している、
請求項１６に記載の被冷却電子システム。
【請求項２５】
さらに、
前記少なくとも数個のＣＣＵの少なくとも２つのＣＣＵが共用する外部システム冷却剤貯蔵槽を備え、前記少なくとも２つのＣＣＵの各ＣＣＵの第２冷却ループ中を流れるシステム冷却剤が十分に供給されることを保証している、
請求項１６に記載の被冷却電子システム。
【請求項２６】
前記外部システム冷却剤貯蔵槽と前記少なくとも２つのＣＣＵの各ＣＣＵの第２冷却ループとは異なる供給管路によって接続されており、
供給管路の１つまたは第２冷却ループの１つにおいて液体輸送経路が故障しても、その影響は供給管路または第２冷却ループが故障しているＣＣＵにしか及ばない、
請求項２５に記載の被冷却電子システム。
【請求項２７】
前記外部システム冷却剤貯蔵槽から伸びる共通供給管路が前記少なくとも２つのＣＣＵの各ＣＣＵの第２冷却ループにシステム冷却剤を供給し、
前記少なくとも２つのＣＣＵの各第２冷却ループは上方に伸びる分岐管路を介して前記共通供給管路に接続されており、前記上方に伸びる分岐管路は前記共通供給管路からシステム冷却剤が除去されてもシステム冷却剤を保持し続ける、
請求項２５に記載の被冷却電子システム。
【請求項２８】
複数個の電子サブシステムを冷却する方法であって、
複数個の冷却剤温度調節ユニット（ＣＣＵ）を準備するステップであって、前記複数個のＣＣＵの少なくとも数個のＣＣＵの各ＣＣＵは冷却すべき前記複数個の電子サブシステムの異なるとともに付随する１つの電子サブシステムにシステム冷却剤を供給し、前記少なくとも数個のＣＣＵの各ＣＣＵは熱交換器と、制御弁を備えた第１冷却ループと、システム冷却剤を含む第２冷却ループとを備えている、ステップと、
前記少なくとも数個のＣＣＵの各ＣＣＵごとに、源から第１冷却ループに被冷却施設冷却剤を供給し、その少なくとも一部分をして前記制御弁を介して前記熱交換器中を通過させるステップと、
前記少なくとも数個のＣＣＵの各ＣＣＵごとに、第２冷却ループ内の被冷却システム冷却剤を付随する電子サブシステムに供給し、前記熱交換器において、前記付随する電子サブシステムから前記第１冷却ループ内の被冷却施設冷却剤に熱を放散するステップとを備え、
前記ＣＣＵの前記制御弁によって前記熱交換器を通過する施設冷却剤の流れを規制することを可能にし、それにより、前記付随する電子サブシステムを冷却する前記第２冷却ループ内の前記システム冷却剤の温度を所望の値に独立に制御することを可能にしている方法。
【請求項２９】
前記複数個のＣＣＵを準備するステップが複数個のＣＣＵ対を準備するステップを含み、各ＣＣＵ対は前記複数個の電子サブシステムの異なるとともに付随する１つの電子サブシステムを冷却する専用ＣＣＵおよび予備の専用ＣＣＵを備えている、
請求項２８に記載の方法。
【請求項３０】
さらに、
前記ＣＣＵ対の動作をモニタし、専用ＣＣＵにおいて故障を検出したら、故障したＣＣＵ対の予備の専用ＣＣＵへ自動的に切り替えて付随する電子サブシステムに対する冷却が継続して行なわれることを保証するステップを備えた、
請求項２９に記載の方法。
【請求項３１】
さらに、
予備の施設冷却剤供給管路および予備の施設冷却剤帰路管路を準備し、前記管路のうちの任意の１つにおいて故障を検出したら、被冷却施設冷却剤を１つの供給管路から別の供給管路へ、または１つの帰路管路から別の帰路管路へ自動的に切り替えるステップをを備えた、
請求項３０に記載の方法。
【請求項３２】
さらに、
前記ＣＣＵ対の動作をモニタする予備のコントローラを準備し、１つのコントローラにおいて故障を検出したら制御を予備のコントローラに自動的に切り替えるステップを備えた、
請求項２９に記載の方法。
【発明の詳細な説明】
【技術分野】
【０００１】
本発明は一般に電子装置、電子モジュール、および電子システムから熱を放散させるために使用する冷却組立体および他の装置に関する。特に、本発明は複数の専用冷却剤温度調節ユニット（ＣＣＵ）を用いて電子サブシステム（たとえば電子ラック）を液体冷却（液冷）するための冷却システムと冷却方法に関する。
【背景技術】
【０００２】
電子機器（たとえばマイクロプロセッサや電源など）が放散する熱流束はコンポーネントの温度を制御する手段として単純な空冷以外の冷却手段を必要とする程度にまで再度到達しつつある。液冷（たとえば水冷）はこれらの熱流束を制御するのに魅力的な技術である。液体はコンポーネント／モジュールが放散する熱を効率的に、すなわち当該液体から被冷却コンポーネントへの温度上昇を最小限にして吸収する。通常、熱は終極的には液体から外部環境へ伝達される。そうでないと、液体冷却剤の温度が上昇し続けてしまう。
【０００３】
１９７０年代から１９９０年代初頭まで、インターナショナル・ビジネス・マシーンズ・コーポレーション（International Business Machines Corporation)は冷却剤分配ユニット１００（図１）を介して冷却用液体を循環させることによりこの仕事を行なっていた。この冷却剤分配ユニット１００は単一かつ大型のコンピュータ室水利用温度調節ユニット（computer room water conditioning unit:ＣＲＷＣＵ）１１０であった。ＣＲＷＣＵ１１０は冷却すべきメインフレーム・コンピュータの様々な電子ラック１２０に温度調節済みの冷水を分配していた。従来、メインフレーム・コンピュータの電子ラックとしてはメモリ・フレーム、プロセッサ・フレーム、入出力フレーム、電力フレームなどがあった。動作中、ＣＲＷＣＵ１１０は顧客の冷水を受け取った後、それを温度調節済みの冷水をコンピュータ室の個々の電子ラックに供給するのに用いていた。
【０００４】
図２に示すように、ＣＲＷＣＵ１１０は上りの（building）冷水を供給し（２１０）モータ２２５で駆動された単一の制御弁２２０を通過させる第１冷却ループを備えていた。この制御弁２２０は熱交換器２３０を通過する上りの冷水の量を決めていた。上りの冷水の一部はバイパス開口２３５を経由して直接に帰路に戻っていた。ＣＲＷＣＵはさらに貯蔵槽２４０を備えた第２冷却ループを備えていた。この貯蔵槽２４０からポンプ１およびポンプ２のうちの一方によって熱交換器２３０へ水が汲み上げられ、そこから温度調節済みの供給水としてコンピュータ室内の冷却すべき電子ラックへ出力されていた。コンピュータ室の水温調節ユニットは通常、電子フレームから離して設けられていたが、その場合でも（通常約２２℃に保たれる）システム水をコンピュータ室のすべての電子フレームに供給していた。
【０００５】
冷却剤分配ユニット、特に図１および図２に示すコンピュータ室水利用温度調節ユニット（ＣＲＷＣＵ）は熱交換器を唯１つ、貯蔵槽を唯１つ、制御弁を唯１つ、そして予備のポンプをいくつか備えている。したがって、ポンプが故障した場合、ＣＲＷＣＵは予備のポンプに自動的に切り換えるが、冷却剤分配ユニットに他の機能不全が生じた場合、コンピュータ室のメインフレーム・システムは全体が停止してしまっていた。たとえば、熱交換器または制御弁または上りの冷水源が故障すると、コンピュータ室内のメインフレーム・システム全体も故障してしまう。このため、停止したメインフレームを修理するまで（機能低下した態様で）処理を継続しうるようにするために、コンピュータ室の床に予備のメインフレーム・コンピュータを備えていた。
【発明の開示】
【発明が解決しようとする課題】
【０００６】
今日、１９７０年代および１９８０年代に存在したような複数フレーム型メインフレーム・システムは単一プロセッサ型のフレーム群すなわちラック群によって置換されている。したがって、現在では、ハイエンドからミッドレンジ、ロウエンドにわたる複数のプロセッサ・フレームに図１および図２に示すような単一のコンピュータ室水利用温度調節ユニットから冷却水を供給している。しかし、これには問題がある。たとえば、任意のプロセッサ・フレームにおいて漏れが発生すると、すべてのフレームが被温度調節水を失う可能性がある。すなわち、唯１つの漏れが発生しただけでコンピュータ室の床全体が停止する可能性がある。また、唯１つの熱交換器の故障または唯１つの制御弁の故障または冷水源の損失によって、コンピュータ室の床全体が停止する可能性もある。
【課題を解決するための手段】
【０００７】
これらの弱点は、複数個の冷却剤温度調節ユニット（ＣＣＵ）を備えた冷却システムを提供することにより克服できるとともに、さらなる利点が得られる。前記複数個のＣＣＵのうちの少なくとも数個の冷却剤温度調節ユニット（ＣＣＵ）の各ＣＣＵは冷却すべき複数個の電子サブシステムのうちの異なるとともに付随する１つの電子サブシステムにシステム冷却剤を供給する。前記少なくとも数個のＣＣＵの各ＣＣＵは熱交換器と、制御弁を備えた第１冷却ループと、第２冷却ループとを備えている。前記第１冷却ループは被冷却施設冷却剤を源から受け取り、その少なくとも一部分をして前記制御弁を介して前記熱交換器を通過させる。前記第２冷却ループは被冷却システム冷却剤を前記付随する電子サブシステムに供給し、前記熱交換器において、前記付随する電子サブシステムから前記第１冷却ループ中の前記被冷却施設冷却剤に熱を放散する。前記制御弁によって前記熱交換器中を流れる施設冷却剤の流れを規制することが可能になり、それにより、前記付随する電子サブシステムを冷却する前記第２冷却ループ中のシステム冷却剤の温度を所望の値に独立して制御することが可能になる。
【０００８】
別の側面では、被冷却電子システムを提供する。この被冷却電子システムは複数個の電子サブシステムと複数個の冷却剤温度調節ユニット（ＣＣＵ）とを備えている。各ＣＣＵは前記複数個の電子サブシステムの異なるとともに付随する１つの電子サブシステムにシステム冷却剤を供給している。各ＣＣＵは熱交換器と、制御弁を備えた第１冷却ループと、第２冷却ループとを備えている。前記第１冷却ループは被冷却施設冷却剤を源から受け取り、その少なくとも一部分をして前記制御弁を介して前記熱交換器を通過させる。前記第２冷却ループは被冷却システム冷却剤を前記付随する電子サブシステムに供給し、前記熱交換器において、前記付随する電子サブシステムから前記第１冷却ループ中の前記被冷却施設冷却剤に熱を放散する。前記制御弁によって前記熱交換器中を流れる施設冷却剤の流れを規制することが可能になり、それにより、ＣＣＵに付随する電子サブシステムを冷却する前記第２冷却ループ中のシステム冷却剤の温度を独立して制御することが可能になる。
【０００９】
さらに別の側面では、複数個の電子サブシステムを冷却する方法を提供する。前記方法は  複数個の冷却剤温度調節ユニット（ＣＣＵ）を準備するステップであって、前記複数個のＣＣＵの少なくとも数個のＣＣＵの各ＣＣＵは冷却すべき前記複数個の電子サブシステムの異なるとともに付随する１つの電子サブシステムにシステム冷却剤を供給している、ステップを備えている。そして、前記少なくとも数個のＣＣＵの各ＣＣＵは熱交換器と、制御弁を備えた第１冷却ループと、その中にシステム冷却剤を含む第２冷却ループとを備えている。前記方法はさらに、前記少なくとも数個のＣＣＵの各ＣＣＵごとに、源から第１冷却ループに被冷却施設冷却剤を供給し、その少なくとも一部分をして前記制御弁を介して前記熱交換器中を通過させるステップと、前記少なくとも数個のＣＣＵの各ＣＣＵごとに、第２冷却ループ内の被冷却システム冷却剤を付随する電子サブシステムに供給し、前記熱交換器において、前記付随する電子サブシステムから前記第１冷却ループ内の被冷却施設冷却剤に熱を放散するステップとを備え、前記ＣＣＵの前記制御弁によって前記熱交換器を通過する施設冷却剤の流れを規制することを可能にし、それにより、前記付随する電子サブシステムを冷却する前記第２冷却ループ内の前記システム冷却剤の温度を所望の値に独立に制御することを可能にしている。
【００１０】
本発明の手法によってさらなる特徴および利点が提供される。本発明の他の実例および側面をここに詳述するが、それらは特許請求の範囲に記載した発明の一部であると考えられる。
【発明を実施するための最良の形態】
【００１１】
ここで使用しているように、「電子サブシステム」は冷却を必要とするコンピュータ・システムまたは他の電子システムの発熱コンポーネントを少なくとも１つ備えた筐体、フレーム、ラック、コンパートメントなどを備えている。用語「電子ラック」にはコンピュータ・システムまたは電子システムの発熱コンポーネントを備えたフレームまたはラックが含まれる。たとえば、電子ラックはハイエンド、ミッドエンド、またはロウエンドの処理能力を備えたスタンドアローン型コンピュータ・プロセッサである。一実施形態では、電子ラックは複数の電子引き出しを備えている。各電子引き出しは冷却を必要とする発熱コンポーネントを少なくとも１つ備えている。
【００１２】
冷却剤分配ユニット、特にここで説明する複数の冷却剤温度調節ユニット（ＣＣＵ）内の冷却剤の一例として水が挙げられる。しかし、ここで開示する概念は施設面およびシステム面の双方から他の種類の冷却剤の使用に容易に適用することができる。たとえば、冷却剤はブライン（冷媒として用いる塩化ナトリウムまたは塩化カルシウム）、フッ化炭化水素液、または他の同様の化学冷却剤すなわち冷媒から成るが、本発明の利点および独自の特徴は保持している。
【００１３】
上で短く述べたように、コンピュータ機器（主としてプロセッサ）内の電力レベルは再度、もはや単純に空冷できないレベルにまで上昇している。これらのコンポーネントは水冷することになると思われる。そうすれば、プロセッサが放散する熱は水冷した冷却板を介して水に伝達させることができる。顧客の場所（すなわちデータ・センタ）において普通に利用しうる水はこれらの冷却板での使用に適していない。第１に、凝縮の形成が問題になる。なぜなら、データ・センタの水の温度（７℃〜１５℃）は室内露点（通常１８〜２３℃）よりもはるかに低いからである。第２に、データ・センタの水はその品質（その化学的性質や清浄度など）が比較的悪いから、システムの信頼性に悪影響を与える。したがって、冷却すべき電子機器に対して高品質の水を循環させ、データ・センタの水が出す熱を拒絶する水冷却／温度調節ユニットを使用するのが望ましい。ここで使用しているように、「施設水」または「施設冷却剤」はこのデータ・センタの水または冷却剤を指す。一方、「システム水」または「システム冷却剤」は冷却剤分配ユニットと冷却すべき電子サブシステムとの間を循環する冷却／温度調節した水または冷却剤をそれぞれ指す。
【００１４】
一般に、ここで提供するものは一揃いの専用冷却剤温度調節ユニット（専用ＣＣＵ）から複数の電子ラックに被冷却システム冷却剤を供給する規模可変冷却剤分配ユニットである。各電子ラックは付随するＣＣＵに接続されている。ＣＣＵは特定の電子ラックに専用のものである。したがって、プロセッサ・フレームにおいて漏れが発生しても特定のフレームしか機能を停止しない。これにより、複数のラックを冷却するコンピュータ環境において漏れの影響を顕著に低減することができる。下で詳述するように、予備のＣＣＵを設けることにより性能と信頼性をさらに改善することができる。これにより、たとえば熱交換器の故障、制御弁の故障、または被冷却施設冷却剤の損失などに対するさらなる対処が可能になる。
【００１５】
図３は本発明の一側面に従う冷却剤分配ユニット３００の一実施形態を示す図である。冷却剤分配ユニット３００は２揃いの専用冷却剤温度調節ユニット（ＣＣＵ）３１０ａ、３１０ｂを備えている。専用ＣＣＵの各揃いは被冷却施設冷却剤用の個別の供給・帰路管路３２０ａ、３２０ｂが面倒を見ている。図示するように、各専用ＣＣＵはシステム冷却剤供給管路３１５とシステム冷却剤帰路管路３１６を介して、付随する電子ラックに接続されている。また、各専用ＣＣＵ３１０ａ、３１０ｂは冷却剤導入管路３１７と冷却剤排出管路３１８を介して施設冷却剤供給・帰路管路３２０ａ、３２０ｂにそれぞれ接続されている。留意点を挙げると、図３には１０個の電子ラックが示されているが、それは単なる例示にすぎない。
【００１６】
好都合なことに、電子ラックの任意の１つにおいて冷却剤が漏れても、あるいは任意の１つの専用ＣＣＵが故障しても、付随する電子ラックが１つだけ機能を停止するだけである。また、専用ＣＣＵ中の冷却剤の量は図１に示すようなＣＲＷＣＵの実施形態の冷却剤の量よりはるかに少ないから、ラック内の電子回路およびコンピュータ室の床上の電子回路を損傷させるのに利用しうる水の量は一般にきわめて少ない。この結果、複数のラックを冷却させるコンピュータ環境において、漏れの影響をきわめて小さくすることが可能になる。
【００１７】
図４は冷却剤分配ユニット４００が複数対の専用ＣＣＵを備えた、本発明の一側面に従う冷却システムの別の実施形態を示す図である。各ＣＣＵは主専用ＣＣＵ４１０ａ、４１１ａ、４１２ａ、４１３ａ、４１４ａ、４１５ａ、４１６ａ、４１７ａ、４１８ａ、４１９ａと予備の専用ＣＣＵ４１０ｂ、４１１ｂ、４１２ｂ、４１３ｂ、４１４ｂ、４１５ｂ、４１６ｂ、４１７ｂ、４１８ｂ、４１９ｂとを備えている。主専用ＣＣＵ４１０ａ〜４１９ａと主被冷却施設冷却剤供給・帰路４２０ａとの間、および予備の専用ＣＣＵ４１０ｂ〜４１９ｂ用の導入管路と予備の被冷却施設冷却剤供給・帰路４２０ｂとの間に設けられた施設冷却剤導入口と直列に制御弁４４０が設けられている。制御弁４４０は一実施形態ではソレノイド駆動の遮断弁から成るが、冷却剤分配ユニットの内部また外部に設けられたコントローラ（図１０参照）によって制御することができる。主専用ＣＣＵが故障したら、予備の専用ＣＣＵに切り替えて動作させることができる。また、システム冷却剤供給管路４６５およびシステム冷却剤帰路管路４６６と直列に適切に配向されたチェック弁４５０も設けられている。これにより、ＣＣＵ対を構成する専用ＣＣＵと予備の専用ＣＣＵとの間に液体による連結が実現している。チェック弁４５０によって、待機中のＣＣＵを通じる再循環を防止することもできる。
【００１８】
図３または図４における各ＣＣＵは図２に示すＣＲＷＣＵと同様の構造をしているが、その構成要素がはるかに小さいので小さく示されている。図５は複数のＣＣＵ対を有する、図４の冷却剤分配ユニットの実施形態に特に適用可能な、冷却剤温度調節ユニットの別の実施形態を示す図である。図５において、符号５００によって一般的に指示されている水温度調節ユニットは第１冷却ループ５０５、熱交換器５２０、および第２冷却ループ５２５を備えている。被冷却施設冷却剤（たとえば水）は第１冷却ループ５０５を通じて供給し帰還させる。第１冷却ループ５０５はモータ５１５によって駆動する温度制御弁５１０を備えている。温度制御弁５１０は熱交換器５２０を通過する被冷却施設冷却剤の量を決める。被冷却施設冷却剤の一部分はバイパス開口５３５を通じて帰路へ直接に帰還させるようになっている。
【００１９】
第２冷却ループ５２５はそれと直列に設けられた貯蔵槽５３０とポンプ５４０を備えている。ポンプ５４０は熱交換器５２０と付随する冷却すべき電子ラックとの間で被冷却システム冷却剤（たとえば水）を循環させる。留意点を挙げると、図５に示すＣＣＵはＣＣＵ対中の予備の専用ＣＣＵであるから、図５のＣＣＵ内には唯１つのポンプ５４０しか設けられていない。上述したように、特定の専用ＣＣＵ内の任意のポンプ、熱交換器、または制御弁が故障すると、コントローラは特定の電子ラックの面倒を見ているＣＣＵ対中の予備のＣＣＵに切り替える。図４の実施形態では、ＣＣＵ対中の各ＣＣＵは異なる被冷却施設冷却剤源に接続されているから、ある被冷却施設冷却剤源が失われると、コントローラは（たとえば予備のＣＣＵを使用することにより）予備の被冷却施設冷却剤源に切り替える。このように構成することにより、冷却剤分配ユニットによって冷却されているすべての電子サブシステムにとって冷却の利用可能性が向上する。
【００２０】
図５には被冷却施設冷却剤の供給管路および帰路管路、ならびにシステム冷却剤の供給管路および帰路管路に継手も示されている。これらの継手によって、たとえば保守、修理、冷却剤分配ユニットに対する付加などのために冷却剤分配ユニットに対して特定の専用ＣＣＵを抜去および／または挿入するのが可能になる。（「Ａおよび／またはＢ」は「ＡおよびＢ、Ａ、またはＢ」を表わす。）一実施形態では、これらの継手は迅速結合／切断装置（quick connects/disconnects）から成る。そして、ＣＣＵの挿入および抜去を容易にするために、迅速結合／切断装置の両側に適切な分離弁を設けてもよい。留意点を挙げると、たとえば事業の拡大によって冷却すべき電子ラックの個数が増大した場合には、専用のＣＣＵまたはＣＣＵ対を付加することにより冷却剤分配ユニットを拡張するのが望ましい。したがって、ここで説明する概念は冷却剤分配ユニットの規模可変性を開示するものである。
【００２１】
図６は図３または図４に示すような冷却剤分配ユニットで使用しうる、冷却剤温度調節ユニット６００の別の実施形態を示す図である。図５の冷却剤温度調節ユニットでは、各専用ユニットの内部に貯蔵槽５３０が設けられている。貯蔵槽５３０は実現方法にもよるが、過大なスペースを必要すとする。図６では、ＣＣＵから内部貯蔵槽を取り除き、共通外部システム冷却剤貯蔵槽６３０が設けられている。共通外部システム冷却剤貯蔵槽６３０は冷却剤分配ユニット中のすべてのまたは一部の専用ＣＣＵに余分のシステム冷却剤（たとえば水）を供給することができる。図６に示すように、ＣＣＵ６００は第１冷却ループ６０５を備えている。第１冷却ループ６０５では、被冷却施設冷却剤（たとえば水）を供給し、モータ６２５によって駆動する単一の制御弁６１０を通過させている。制御弁６１０は熱交換器６２０を通過する被冷却施設冷却剤の量を決める。被冷却施設冷却剤の一部分はバイパス開口６３５を通じて帰路へ直接に帰還させるようになっている。第２冷却ループ６２５はポンプ６４０を備えている。ポンプ６４０は熱交換器６２０と付随する冷却すべき電子ラック（図示せず）との間で被冷却システム冷却剤（たとえば水）を循環させる。好都合なことに、共通外部システム冷却剤貯蔵槽は複数の専用ＣＣＵを備えた冷却剤分配ユニット用に充満貯蔵槽（fill reservoir）および冷却剤補給貯蔵槽の双方として機能することができる。貯蔵槽６３０は専用ＣＣＵの第２冷却ループにおいて膨張したシステム冷却剤を収容することもできる。図６のＣＣＵの実施形態を用いて、１つのＣＣＵにおいて漏れが発生しても貯蔵槽に接続されたすべてのＣＣＵが枯渇するわけではないということを保証するために、共通外部システム冷却剤貯蔵槽を専用ＣＣＵから成る様々な第２冷却ループに接続する方法を考察する必要がある。
【００２２】
たとえば、図７は共通システム冷却剤貯蔵槽７００が共通供給管路７１０を用いて複数の第２冷却ループに冷却剤を供給する一実施形態を示す図である。いま、時刻０において、部分的に示す第３のＣＣＵ用の第２冷却ループが漏れ始めるものと仮定する。後の時刻Ｘにおいて、余分なシステム冷却剤が貯蔵槽７００から枯渇するが、共通供給管路７１０内にはまだ残っている。しかし、引き続く時刻Ｙにおいて、システム冷却剤は共通供給管路７１０および部分的に示す３つのＣＣＵから枯渇する。この結果、付随する電子ラックが冷却剤の欠乏に起因して機能を停止する。
【００２３】
外部システム冷却剤貯蔵槽を個別のＣＣＵに接続する別の構成を図８に示す。この実施形態では、複数の供給管路８１０ａ、８１０ｂ、８１０ｃによって外部システム冷却剤貯蔵槽８００と各専用ＣＣＵとが接続されている。そのポイントは、外部システム冷却剤貯蔵槽と各ＣＣＵとの間に冷却剤供給管路が存在する点である。この場合にも、時刻０において、部分的に示す第３のＣＣＵで漏れが発生するものと仮定する。この結果、時刻Ｘにおいて、外部システム冷却剤貯蔵槽８００が枯渇する。そして、後の時刻Ｙにおいて、冷却剤は冷却剤供給管路８１０ｃおよび第３のＣＣＵ内の第２冷却ループからも枯渇する。そして、後の時刻Ｙにおいて、冷却剤は第３のＣＣＵに冷却剤を供給している冷却剤供給管路８１０ｃおよび第３のＣＣＵ内の第２冷却ループからも枯渇する。しかし、供給管路８１０ａ、８１０ｂ内には冷却剤が残っている。したがって、故障を処置している間、第１のＣＣＵと第２のＣＣＵは動作を継続することができる。
【００２４】
図９は外部システム冷却剤貯蔵槽と図６に示すような複数のＣＣＵとを接続するさらに別の実施形態を示す図である。この実施形態では、外部システム冷却剤貯蔵槽９００は共通供給管路９１０を介して複数のＣＣＵに冷却剤を供給している。しかし、共通供給管路９１０はタップ供給管路すなわち分岐供給管路９２０ａ、９２０ｂ、９２０ｃを介して個別のＣＣＵに個別に接続されている。図示するように、これらの分岐供給管路９２０ａ、９２０ｂ、９２０ｃは各ＣＣＵの第２冷却ループから共通供給管路９１０に向かって上向きの角度を有する。これにより、共通供給管路において故障が発生した場合に、分岐供給管路が枯渇するのを防止することが可能になる。この場合にも、時刻０において、部分的に図示する第３のＣＣＵの第２冷却ループにおいて故障が発生するものと仮定する。引き続く時刻Ｘにおいて、冷却剤は外部システム冷却剤貯蔵槽９００から枯渇しているが、共通供給管路９１０内には残っている。後の時刻Ｙにおいて、冷却剤は共通供給管路９１０と第３のＣＣＵ内の漏れが発生している第２冷却ループとから枯渇している。ただし、共通供給管路９１０からの枯渇の程度は冷却剤のレベルが共通供給管路９１０と分岐供給管路９２０ｃとの接続部を下回るレベルにまで低下する程度である。図示するように、分岐供給管路９２０ａ、９２０ｂ内には水が残っている。その量は第１の冷却剤温度調節ユニット（ＣＣＵ）と第２の冷却剤温度調節ユニット（ＣＣＵ）が動作を継続するのに十分な程度である。この結果、付随する電子ラック（図示せず）は動作を継続することが可能になる。
【００２５】
上述したように、コントローラが図３および図４に示すような冷却剤分配ユニット内の様々なＣＣＵに電力を供給するとともにそれらを制御するのが望ましい。そのコントローラは高度のインテリジェンスを備えている。そして、そのコントローラは図１０に示すように冗長態様で実現されているのが望ましい。図１０において、冷却剤分配ユニット１０００は複数の専用ＣＣＵ１０２０ａ、１０２０ｂを備えている。各専用ＣＣＵ１０２０ａ、１０２０ｂはコントローラ１０３０ａによって制御可能な制御カードを備えている。予備の電力／フレーム・コントローラ１０３０ｂも設けられている。コントローラ１０３０ａ、１０３０ｂは各電子ラック１０１０と接続されており、たとえば電子ラック１０１０内の様々な電子装置、または電子ラック１０１０を通過する冷却剤の動作パラメータを少なくとも１つ検知している。図４に示す例と同様に、専用ＣＣＵ１０２０ａ、１０２０ｂの対と付随する電子ラック１０１０とを接続するシステム冷却剤供給管路と、電子ラック１０１０から動作中の専用ＣＣＵへ冷却剤を帰還させるシステム冷却剤帰路とが設けられている。所定のＣＣＵ対内で動作中の専用ＣＣＵは現在動作中のコントローラ１０３０ａ、１０３０ｂの制御下にある。
【００２６】
留意点を挙げると、図１０の例では、冷却剤分配ユニット内の個別の専用ＣＣＵへの電力はコントローラ１０３０ａおよびコントローラ１０３０ｂの双方から供給することができる。したがって、電源／コントローラの一方が失われても個別のＣＣＵ対が電力を失うことはない。さらに留意点を挙げると、専用ＣＣＵ１０２０ａ、１０２ｂ内の制御カードはＣＣＵの動作の検知とＣＣＵの規制との双方のために使用することができる。たとえば、制御カードはＣＣＵ内の温度制御弁とポンプの速度とを制御するために使用することができる。また、制御カードはシステム冷却剤を検知してそれを所定の温度に規制することもできるし、フレーム・コントローラ１０３０ａおよび予備のフレーム・コントローラ１０３０ｂに何らかの問題点を報告することもできる。コントローラ１０３０ａ、１０３０ｂは所定のＣＣＵ対のどちらのＣＣＵをＯＮにするかを決めるとともに、システム冷却剤を規制すべき目標温度を決める。コントローラは故障が発生するとそれを検知し、当該故障発生の検知に基づいて処置、たとえばＣＣＵ対のうちの予備のＣＣＵに切り替える処置を講じることができる。したがって、冷却剤分配ユニット内の電力接続または通信経路が１つ失われても冷却システム全体が機能を停止することはない。
【００２７】
以上、ここでは、好適な実施形態を示すとともに詳細に説明したが、当業者に明らかなように、本発明の本旨の内で様々な変更、付加、削除などをなすことができる。したがって、それらは特許請求の範囲に規定する本発明の範囲内のものであると考えられる。
【図面の簡単な説明】
【００２８】
【図１】コンピュータ室用の既存の冷却剤分配ユニットを示す図である。
【図２】図１の冷却剤分配ユニットが使用するような既存のコンピュータ室水利用温度調節ユニット（ＣＲＷＣＵ）の模式図である。
【図３】本発明の一側面に従う、複数の冷却剤温度調節ユニットを用いる冷却剤分配ユニットの一実施形態を示す図である。
【図４】本発明の一側面に従う、複数の冷却剤温度調節ユニットを用いる冷却剤分配ユニットの別の実施形態を示す図である。
【図５】本発明の一側面に従う、専用冷却剤温度調節ユニットの一実施形態を示す図である。
【図６】本発明の一側面に従う、冷却剤温度調節ユニットの別の実施形態を示す図である。
【図７】共通供給管路を備えた共通外部システム冷却剤貯蔵槽を用いて問題例を示す部分冷却剤温度調節ユニット（ＣＣＵ）を示す図である。
【図８】本発明の一側面に従う、共通外部システム冷却剤貯蔵槽と複数の専用冷却剤温度調節ユニットへの複数の供給管路とを備えた部分ＣＣＵの別の実施形態を示す図である。
【図９】本発明の一側面に従う、共通外部システム冷却剤貯蔵槽と複数の専用冷却剤温度調節ユニットへの共通供給管路とを備えた部分ＣＣＵの別の実施形態を示す図である。
【図１０】本発明の一側面に従う、ＣＣＵ対、電子ラック、および電力／フレーム・コントローラの間の通信経路と制御経路を備えた電力／フレーム・コントローラの一実施形態の模式図である。
【符号の説明】
【００２９】
１００  冷却剤分配ユニット
１１０  コンピュータ室水利用温度調節ユニット（ＣＲＷＣＵ）
１２０  電子ラック
２２０  制御弁
２２５  モータ
２３０  熱交換器
２３５  バイパス開口
２４０  貯蔵槽
３００  冷却剤分配ユニット
３１０ａ、３１０ｂ  専用冷却剤温度調節ユニット（ＣＣＵ）
３１５  システム冷却剤供給管路
３１６  システム冷却剤帰路管路
３１７  冷却剤導入管路
３１８  冷却剤排出管路
３２０ａ、３２０ｂ  施設冷却剤供給・帰路管路
３３０ａ、３３０ｂ  電子ラック
４００  冷却剤分配ユニット
４１０ａ、４１１ａ、４１２ａ、４１３ａ、４１４ａ、４１５ａ、４１６ａ、４
１７ａ、４１８ａ、４１９ａ  主専用ＣＣＵ
４１０ｂ、４１１ｂ、４１２ｂ、４１３ｂ、４１４ｂ、４１５ｂ、４１６ｂ、４
１７ｂ、４１８ｂ、４１９ｂ  予備の専用ＣＣＵ
４２０ａ  主被冷却施設冷却剤供給・帰路
４２０ｂ  予備の被冷却施設冷却剤供給・帰路
４３０、４３１、４３２、４３３、４３４、４３５、４３６、４３７、４３８、
４３９  電子ラック
４４０  制御弁
４５０  チェック弁
４６５  システム冷却剤供給管路
４６６  システム冷却剤帰路管路
５００  水温度調節ユニット
５０５  第１冷却ループ
５１０  温度制御弁
５１５  モータ
５２０  熱交換器
５２５  第２冷却ループ
５３０  貯蔵槽
５４０  ポンプ
６００  水温度調節ユニット
６０５  第１冷却ループ
６１０  温度制御弁
６１５  モータ
６２０  熱交換器
６２５  第２冷却ループ
６３０  共通外部貯水槽
６４０  ポンプ
７００  共通システム冷却剤貯蔵槽
７１０  共通供給管路
８００  外部システム冷却剤貯蔵槽
８１０ａ、８１０ｂ、８１０ｃ  供給管路
９００  外部システム冷却剤貯蔵槽
９１０  共通供給管路
９２０ａ、９２０ｂ、９２０ｃ  分岐供給管路
１０００  冷却剤分配ユニット
１０１０  電子ラック
１０２０ａ、１０２０ｂ  専用ＣＣＵ
１０３０ａ  電力／フレーム・コントローラ
１０３０ｂ  予備の電力／フレーム・コントローラ
【図１】
2005167248.tif 000003
【図２】
2005167248.tif 000004
【図３】
2005167248.tif 000005
【図４】
2005167248.tif 000006
【図５】
2005167248.tif 000007
【図６】
2005167248.tif 000008
【図７】
2005167248.tif 000009
【図８】
2005167248.tif 000010
【図９】
2005167248.tif 000011
【図１０】
2005167248.tif 000012